(57)【要約】【課題】無線制御装置と無線装置との機能分割に応じた信号形式による信号データの分配／合成を１つの装置によって行うこと。【解決手段】端末と無線通信する複数の無線装置と前記無線装置を制御する無線制御装置との間の通信を中継する中継装置は、前記複数の無線装置と前記無線制御装置との機能分割点ごとに備えられ、前記無線装置から送信された信号データを前記機能分割点に応じた信号形式に基づき変換し、変換された前記信号データを前記無線制御装置へ送信する複数の信号合成部と、前記無線装置から送信された前記信号データを、前記無線装置の前記機能分割点に対応する前記信号合成部へ出力する信号切替部と、を備える。【選択図】図１
2020017815.tif 000002
【特許請求の範囲】
【請求項１】
端末と無線通信する複数の無線装置と前記無線装置を制御する無線制御装置との間の通信を中継する中継装置であって、
前記複数の無線装置と前記無線制御装置との機能分割点ごとに備えられ、前記無線装置から送信された信号データを前記機能分割点に応じた信号形式に基づき変換し、変換された前記信号データを前記無線制御装置へ送信する複数の信号合成部と、
前記無線装置から送信された前記信号データを、前記無線装置の前記機能分割点に対応する前記信号合成部へ出力する信号切替部と、
を備える中継装置。
【請求項２】
端末と無線通信する複数の無線装置と前記無線装置を制御する無線制御装置との間の通信を中継する中継装置であって、
前記複数の無線装置と前記無線制御装置との機能分割点ごとに備えられ、前記無線装置から送信された信号データを前記機能分割点に応じた信号形式に基づき変換し、変換された前記信号データを前記無線制御装置へ送信する複数の信号合成部と、
前記複数の無線装置からそれぞれ送信された複数の前記信号データを、前記複数の無線装置それぞれの前記機能分割点に対応する前記信号合成部へそれぞれ出力する信号切替部と、
を備える中継装置。
【請求項３】
前記変換された信号データとは、前記複数の信号データが加算された第１の信号データ、前記複数の信号データのうちいずれか１つが選択された第２の信号データ、又は、前記複数の信号データに基づいて検出された前記端末から送信された信号を示す第３の信号データである
請求項１又は請求項２に記載の中継装置。
【請求項４】
前記第２の信号データは、前記無線装置から送信された信号に含まれる制御情報に基づいて選択された信号データである
請求項３に記載の中継装置。
【請求項５】
前記第２の信号データは、前記無線装置と前記無線制御装置との間で送受信される制御信号に基づいて選択された信号データである
請求項３に記載の中継装置。
【請求項６】
端末と無線通信する複数の無線装置と前記無線装置を制御する無線制御装置との間の通信を中継する中継装置であって、
前記無線制御装置から送信された信号データを複製し、複製された前記信号データを機能分割点に応じた前記無線装置のみへ送信する信号分配部
を備える中継装置。
【請求項７】
端末と無線通信する複数の無線装置と前記無線装置を制御する無線制御装置との間の通信を中継するコンピュータによる中継方法であって、
前記複数の無線装置と前記無線制御装置との機能分割点ごとの、前記無線装置から送信された信号データを前記機能分割点に応じた信号形式に基づき変換し、変換された前記信号データを前記無線制御装置へ送信する複数の信号合成ステップと、
前記無線装置から送信された前記信号データに対し、前記無線装置の前記機能分割点に対応する前記信号合成ステップによって処理を行わせる信号切替ステップと、
を有する中継方法。
【請求項８】
端末と無線通信する複数の無線装置と前記無線装置を制御する無線制御装置との間の通信を中継するコンピュータによる中継方法であって、
前記複数の無線装置と前記無線制御装置との機能分割点ごとの、前記無線装置から送信された信号データを前記機能分割点に応じた信号形式に基づき変換し、変換された前記信号データを前記無線制御装置へ送信する複数の信号合成ステップと、
前記複数の無線装置からそれぞれ送信された複数の前記信号データに対し、前記無線装置それぞれの前記機能分割点に対応する前記信号合成ステップによってそれぞれ処理を行わせる信号切替ステップと、
を有する中継方法。
【発明の詳細な説明】
【技術分野】
【０００１】
本発明は、中継装置及び中継方法に関する。
【背景技術】
【０００２】
無線通信システム、とりわけ移動通信システムにおいて、複数の無線装置を１つのセル（サービスエリア）として１つの無線制御装置に収容する分散アンテナシステムの構成の適用が進められている。例えば、非特許文献１に記載の分散アンテナシステムの構成では、図３に示すように、１つの無線制御装置６０と複数の無線装置７０との間に、ＦＨＭ（Fronthaul Multiplexer；フロントホール分配装置）と呼ばれる中継装置５０が設置される。無線制御装置６０と無線装置７０との間のリンクでは、ＣＰＲＩ(Common Public Radio Interface）と呼ばれるインタフェースの信号がやり取りされている。中継装置５０の信号分配部５１は、ＣＰＲＩの下りリンク信号を無線装置７０の個数だけ複製して、各無線装置７０に分配する。また、中継装置５０の信号合成部５２は、各無線装置７０から受信したＣＰＲＩの上りリンク信号の合成を行う。
上記のような機能を備えた中継装置により、１つの無線制御装置で複数のセルを構築することができる。なお、分散アンテナシステムには、ＣＰＲＩ信号を分配／合成する中継装置を用いるもののほか、無線信号の処理を全て終えて生成されたＲＦ（Radio Frequency；高周波）信号を分配／合成する中継装置を用いるものがある。
【０００３】
将来の移動通信システムの実現に向けての課題として、無線制御装置と無線装置との間において、無線信号波形のＩＱデータを量子化して伝送するＣＰＲＩ信号による伝送データ量が増大するという課題がある。これに対し、無線制御装置と無線装置との機能分割を再定義することにより伝送データ量を削減させる手法が検討されている（例えば、非特許文献２参照）。機能分割の再定義における機能分割点には複数の候補が存在する。
【０００４】
図４に機能分割点の一例を示す。無線装置及び無線制御装置はＰＤＣＰ（Packet Data Convergence Protocol）層、ＲＬＣ（Radio Link Control）層、ＭＡＣ（Media Access Control；メディアアクセス制御）層、及びＰＨＹ（Physical；物理）層で構成される。さらにＰＨＹ層内は、主に、符号化／復号機能、変調／復調機能、ＭＩＭＯ（Multiple-Input and Multiple-Output；マイモ）処理機能、ＯＦＤＭ（Orthogonal Frequency Division Multiplexing；直交周波数分割多重）処理機能、及びＲＦ送受信機能によって構成されている。例えば、図４の（ａ）の機能分割点は、ＨＬＳ（Higher Layer Split）と呼ばれる機能分割点である。ＨＬＳにおいて機能分割が行われた場合、ＰＤＣＰ層の機能は無線制御装置に備えられ、ＲＬＣ層以下の機能は無線装置に備えられる。また、図４の（ｂ），（ｃ），（ｄ）及び（ｅ）の機能分割点は、ＬＬＳ（Lower Layer Split）と呼ばれる機能分割点である。図４の（ｆ）の機能分割点は、従来のＣＰＲＩにおける機能分割点である。図４の（ｇ）の機能分割点は、無線制御装置と無線装置との間において、無線信号の処理を全て終えて生成されたＲＦ信号を伝送する場合における機能分割点である。
【０００５】
どの機能分割点が用いられるかによって、無線制御装置と無線装置との間において伝送される信号データの形式はそれぞれ異なる。これにより、伝送データ量及び無線装置間の連携性能についても、どの機能分割点が用いられるかによってそれぞれ異なる。機能分割点が図４の（ａ）又は（ｂ）である場合には、無線制御装置と無線装置との間において伝送される信号データの形式は、Ｅｔｈｅｒｎｅｔ（登録商標）のフレームに代表されるようなビットデータである。また、機能分割点が図４の（ｃ）である場合には、当該信号データの形式は、上りリンクであれば、ビットデータの「０」又は「１」の値の確からしさを示す尤度のデータ（以下「尤度データ」という。）である。また、機能分割点が図４の（ｄ）又は（ｅ）である場合には、当該信号データの形式は、周波数領域のＩＱデータである。また、機能分割点が図４の（ｆ）である場合には、当該信号データの形式は、時間領域のＩＱデータである。また、機能分割点が図４の（ｇ）である場合には、当該信号データの形式は、ＲＦ信号である。
【先行技術文献】
【非特許文献】
【０００６】
【非特許文献１】藤井昌宏  他，“３．５ＧＨｚ帯ＴＤ−ＬＴＥ導入に向けた基地局装置の開発”，ＮＴＴ  ＤＯＣＯＭＯ  テクニカル・ジャーナル Vol.24 No.2，２０１６年７月
【非特許文献２】ウメシュアニール  他，“５Ｇ無線アクセスネットワーク標準化動向”，ＮＴＴ  ＤＯＣＯＭＯ  テクニカル・ジャーナル Vol.25 No.3，２０１７年１０月
【発明の概要】
【発明が解決しようとする課題】
【０００７】
ところで、従来の分散アンテナシステムにおける中継装置は、ＣＰＲＩ信号又はＲＦ信号を分配／合成すること（すなわち、図４の（ｆ）又は（ｇ）の機能分割点において信号を分配／合成すること）しかできない。そのため、従来の分散アンテナシステムにおける中継装置には、機能分割の再定義に伴う新たな機能分割点（すなわち、例えば図４の（ａ）〜（ｅ）の機能分割点）において、無線制御装置と無線装置との間で伝送される信号の分配／合成を行うことができないという課題がある。
また、従来の分散アンテナシステムにおける中継装置では、例えば、ＣＰＲＩ信号を分配／合成する中継装置と、ＲＦ信号を分配／合成する中継装置とは、別々の装置として構成される。そのため、機能分割の種類に応じた複数の中継装置を予め用意しておくか、又は、機能分割に応じて中継装置の入れ替えを行う必要がある。このように従来技術では、複数の中継装置を用いる必要があるため、中継装置の運用に係る機器コスト、又は中継装置の入れ替えに係る作業負担が大きくなるという課題がある。
【０００８】
上記事情に鑑み、本発明は、無線制御装置と無線装置との機能分割に応じた信号形式による信号データの分配／合成を１つの装置によって行うことができる技術の提供を目的としている。
【課題を解決するための手段】
【０００９】
本発明の一態様は、端末と無線通信する複数の無線装置と前記無線装置を制御する無線制御装置との間の通信を中継する中継装置であって、前記複数の無線装置と前記無線制御装置との機能分割点ごとに備えられ、前記無線装置から送信された信号データを前記機能分割点に応じた信号形式に基づき変換し、変換された前記信号データを前記無線制御装置へ送信する複数の信号合成部と、前記無線装置から送信された前記信号データを、前記無線装置の前記機能分割点に対応する前記信号合成部へ出力する信号切替部と、を備える中継装置である。
【００１０】
また、本発明の一態様は、端末と無線通信する複数の無線装置と前記無線装置を制御する無線制御装置との間の通信を中継する中継装置であって、前記複数の無線装置と前記無線制御装置との機能分割点ごとに備えられ、前記無線装置から送信された信号データを前記機能分割点に応じた信号形式に基づき変換し、変換された前記信号データを前記無線制御装置へ送信する複数の信号合成部と、前記複数の無線装置からそれぞれ送信された複数の前記信号データを、前記複数の無線装置それぞれの前記機能分割点に対応する前記信号合成部へそれぞれ出力する信号切替部と、を備える中継装置である。
【００１１】
また、本発明の一態様は、上記の中継装置であって、前記変換された信号データとは、前記複数の信号データが加算された第１の信号データ、前記複数の信号データのうちいずれか１つが選択された第２の信号データ、又は、前記複数の信号データに基づいて検出された前記端末から送信された信号を示す第３の信号データである。
【００１２】
また、本発明の一態様は、上記の中継装置であって、前記第２の信号データは、前記無線装置から送信された信号に含まれる制御情報に基づいて選択された信号データである。
【００１３】
また、本発明の一態様は、上記の中継装置であって、前記第２の信号データは、前記無線装置と前記無線制御装置との間で送受信される制御信号に基づいて選択された信号データである。
【００１４】
また、本発明の一態様は、端末と無線通信する複数の無線装置と前記無線装置を制御する無線制御装置との間の通信を中継する中継装置であって、前記無線制御装置から送信された信号データを複製し、複製された前記信号データを機能分割点に応じた前記無線装置のみへ送信する信号分配部を備える中継装置である。
【００１５】
本発明の一態様は、端末と無線通信する複数の無線装置と前記無線装置を制御する無線制御装置との間の通信を中継するコンピュータによる中継方法であって、前記複数の無線装置と前記無線制御装置との機能分割点ごとの、前記無線装置から送信された信号データを前記機能分割点に応じた信号形式に基づき変換し、変換された前記信号データを前記無線制御装置へ送信する複数の信号合成ステップと、前記無線装置から送信された前記信号データに対し、前記無線装置の前記機能分割点に対応する前記信号合成ステップによって処理を行わせる信号切替ステップと、を有する中継方法である。
【００１６】
本発明の一態様は、端末と無線通信する複数の無線装置と前記無線装置を制御する無線制御装置との間の通信を中継するコンピュータによる中継方法であって、前記複数の無線装置と前記無線制御装置との機能分割点ごとの、前記無線装置から送信された信号データを前記機能分割点に応じた信号形式に基づき変換し、変換された前記信号データを前記無線制御装置へ送信する複数の信号合成ステップと、前記複数の無線装置からそれぞれ送信された複数の前記信号データに対し、前記無線装置それぞれの前記機能分割点に対応する前記信号合成ステップによってそれぞれ処理を行わせる信号切替ステップと、を有する中継方法である。
【発明の効果】
【００１７】
本発明により、無線制御装置と無線装置との機能分割に応じた信号形式による信号データの分配／合成を１つの装置によって行うことができる。
【図面の簡単な説明】
【００１８】
【図１】本発明の一実施形態に係る分散アンテナシステム１の構成を示すブロック図である。
【図２】本発明の一実施形態に係る分散アンテナシステム１の中継装置１０の動作を示すフローチャートである。
【図３】従来の分散アンテナシステムの構成を示すブロック図である。
【図４】無線制御装置と無線装置との機能分割における機能分割点の一例を示す図である。
【発明を実施するための形態】
【００１９】
＜実施形態＞
以下、本発明の一実施形態について、図面を参照しながら説明する。
【００２０】
［分散アンテナシステムの構成］
図１は、本発明の一実施形態に係る分散アンテナシステム１の構成を示すブロック図である。分散アンテナシステム１は、端末と無線通信する複数の無線装置３０を1つのセル（サービスエリア）として1つの無線制御装置２０に収容するシステムである。図１に示すように、分散アンテナシステム１は、中継装置１０と、無線制御装置２０と、複数の無線装置３０と、を含んで構成される。
【００２１】
［中継装置の構成］
また、図１に示すように、中継装置１０は、信号分配部１１と、第１信号合成部１２ａと、第２信号合成部１２ｂと、第３信号合成部１２ｃと、第４信号合成部１２ｄと、第５信号合成部１２ｅと、信号切替部１３と、を含んで構成される。
【００２２】
信号分配部１１は、下りリンク信号を下りリンク信号が該当する機能分割点の無線装置３０の個数だけ複製して、各下りリンク信号が該当する機能分割点の無線装置３０に分配する。
【００２３】
本実施形態においては、一例として、中継装置１０には、第１信号合成部１２ａ、第２信号合成部１２ｂ、第３信号合成部１２ｃ、第４信号合成部１２ｄ、及び第５信号合成部１２ｅの５つ信号合成部が備えられる。なお、以下の説明において、第１信号合成部１２ａ、第２信号合成部１２ｂ、第３信号合成部１２ｃ、第４信号合成部１２ｄ、及び第５信号合成部１２ｅをそれぞれ区別して説明する必要がない場合には、単に「信号合成部１２」という。なお、信号合成部１２は、機能分割点の個数に応じて複数用意されるならば、上記の５つに限られるものではない。
【００２４】
信号合成部１２は、各無線装置３０から受信した上りリンク信号の信号データを、所定の信号形式に基づき変換する。信号合成部１２は、無線制御装置２０と無線装置３０との機能分割における機能分割点の個数に応じて、中継装置１０に複数備えられる。
【００２５】
信号切替部１３は、各無線装置３０から送信された上りリンク信号を取得する。信号切替部１３は、該当の上りリンク信号を出力した無線装置３０の機能分割点に対応する信号合成部１２を選択する。信号切替部１３は、選択した信号合成部１２を使用するように切り替えを行う。
【００２６】
［第１信号合成部の構成］
第１信号合成部１２ａは、機能分割点が図４の（ｇ）である場合に信号切替部１３によって選択され、使用される。第１信号合成部１２ａは、無線信号のアナログ波形を加算して信号合成を行う。
中継装置１０は、各無線装置３０から送信されたアナログ波形の信号データうち、同じタイミングのアナログ波形の信号データを、第１信号合成部１２ａによってアナログ情報のまま加算する。そして、中継装置１０は、第１信号合成部１２ａによって加算されたアナログ波形の信号データを、無線制御装置２０へ送信する。これにより、無線制御装置２０は、第１信号合成部１２ａによって加算されたアナログ波形の信号データを取得し、無線制御装置２０が担う信号処理を行うことができる。
【００２７】
なお、機能分割点が図４の（ｇ）である場合に使用される上記第１信号合成部１２ａは、無線信号のデジタル波形の信号データを加算して信号合成を行う構成であってもよい。
この場合、デジタル波形の信号データは、例えば、Ｅｔｈｅｒｎｅｔ（登録商標）フレームに代表されるようなパケットデータとして、各無線装置３０から中継装置１０へ送信される。中継装置１０は、各無線装置３０から送信されたデジタル波形の信号データのうち、同じタイミングのデジタル波形の信号データを、第１信号合成部１２ａによってフレームのペイロードから取り出して加算し、１つのフレームとする。そして、中継装置１０は、複数のデジタル波形の信号データが加算されたフレームを、無線制御装置２０へ送信する。これにより、無線制御装置２０は、第１信号合成部１２ａによって加算されたデジタル波形の信号データを取得し、無線制御装置２０が担う信号処理を行うことができる。
【００２８】
［第２信号合成部の構成］
第２信号合成部１２ｂは、機能分割点が図４の（ｆ）である場合に信号切替部１３によって選択され、使用される。第２信号合成部１２ｂは、ＣＰＲＩ信号で伝送される時間領域のＩＱデータを加算して信号合成を行う。
中継装置１０は、各無線装置３０から送信された時間領域のＩＱデータのうち、同じタイミングのＩＱデータを、第２信号合成部１２ｂによってフレームのペイロードから取り出して加算し、１つのフレームとする。そして、中継装置１０は、第２信号合成部１２ｂによって時間領域のＩＱデータ加算されたフレームを、無線制御装置２０へ送信する。これにより、無線制御装置２０は、第２信号合成部１２ｂによって加算された時間領域のＩＱデータを取得し、無線制御装置２０が担う信号処理を行うことができる。
【００２９】
［第３信号合成部の構成］
第３信号合成部１２ｃは、機能分割点が図４の（ｄ）又は（ｅ）である場合に信号切替部１３によって選択され、使用される。第３信号合成部１２ｃは、周波数領域のＩＱデータを加算して信号合成を行う。
中継装置１０は、各無線装置３０から送信された周波数領域のＩＱデータのうち、同じタイミングのＩＱデータを、第３信号合成部１２ｃによってフレームのペイロードから取り出して加算し、１つのフレームとする。そして、中継装置１０は、第３信号合成部１２ｃによって周波数領域のＩＱデータが加算されたフレームを、無線制御装置２０へ送信する。これにより、無線制御装置２０は、第３信号合成部１２ｃによって加算された周波数領域のＩＱデータを取得し、無線制御装置２０が担う信号処理を行うことができる。
【００３０】
なお、機能分割点が図４の（ｄ）又は（ｅ）である場合に使用される上記第３信号合成部１２ｃは、複数の無線装置３０から受信した周波数領域のＩＱデータに基づいて、端末から送信された無線信号の結合検出を行う構成であってもよい。
この場合、中継装置１０が、各無線装置３０から送信された周波数領域のＩＱデータのうち、同じタイミングのＩＱデータを、第３信号合成部１２ｃによってフレームのペイロードから取り出す点については上記同様である。しかしながら、この場合、中継装置１０は、取り出したＩＱデータを加算するのではなく、取り出したＩＱデータを用いて結合検出を行い、１つのフレームとする。そして、中継装置１０は、当該フレームを無線制御装置２０へ送信する。これにより、無線制御装置２０は、第３信号合成部１２ｃによって選択された無線信号を取得し、無線制御装置２０が担う信号処理を行うことができる。
【００３１】
なお、端末から送信された無線信号の結合検出の方法としては、例えば、複数の無線装置３０から送信された周波数領域のＩＱデータを用いて確率計算を行い、送信された信号の候補の中から事後確率を最大にする信号を選択すればよい。
【００３２】
［第４信号合成部の構成］
第４信号合成部１２ｄは、機能分割点が図４の（ｃ）である場合に信号切替部１３によって選択され、使用される。第４信号合成部１２ｄは、尤度データを加算して信号合成を行う。尤度データは、上記ＩＱデータと同様に、例えば、Ｅｔｈｅｒｎｅｔ（登録商標）フレームに代表されるようなパケットデータとして、各無線装置３０から中継装置１０へ送信される。中継装置１０は、各無線装置３０から送信された尤度データのうち、同じタイミングの尤度データを、第４信号合成部１２ｄによってフレームのペイロードから取り出して加算し、１つのフレームとする。そして、中継装置１０は、複数の尤度データが加算されたフレームを、無線制御装置２０へ送信する。これにより、無線制御装置２０は、第４信号合成部１２ｄによって加算された尤度データを取得し、無線制御装置２０が担う信号処理を行うことができる。
【００３３】
［第５信号合成部の構成］
第５信号合成部１２ｅは、機能分割点が図４の（ａ）又は（ｂ）である場合に信号切替部１３によって選択され、使用される。第５信号合成部１２ｅは、複数の無線装置３０から受信したビットデータのうち、いずれか１つを、フレームヘッダの情報（制御情報）に基づいて選択する。
この場合、中継装置１０は、各無線装置３０から送信されたビットデータのうち、同じタイミングのビットデータをフレームのペイロードから取り出して加算するのではなく、ヘッダ値を参照した上で、例えば、ヘッダ値が無効になっていないフレームを選択する。そして、中継装置１０は、選択したフレーム以外のフレームを破棄する。あるいは、中継装置１０は、例えば、ヘッダ値のシーケンス番号が重複しているフレームがあれば、それら重複しているフレームのうちの１つだけを選択し、選択した以外のフレームを破棄してもよい。これにより、無線制御装置２０は、第５信号合成部１２ｅによって選択されたフレームを受信し、無線制御装置２０が担う信号処理を行うことができる。
【００３４】
なお、機能分割点が図４の（ａ）又は（ｂ）である場合に使用される上記第５信号合成部１２ｅは、複数の無線装置３０から送信されたビットデータのうち、いずれか１つのビットデータを、制御信号の情報に基づいて選択する構成あってもよい。
この場合、第５信号合成部１２ｅは、同じタイミングのビットデータをフレームのペイロードから取り出して加算するのではなく、無線装置３０と無線制御装置２０との間で送受信されている制御信号に基づいて１つのフレームを選択する。そして、中継装置１０は、選択したフレーム以外のフレームを破棄する。これにより、無線制御装置２０は、第５信号合成部１２ｅによって選択されたフレームを受信し、無線制御装置２０が担う信号処理を行うことができる。
【００３５】
なお、基準とする制御信号には、例えば、Measurement ReportのＲＳＲＰ（Reference Signal Received Power）等がある。
【００３６】
なお、上記の異なる機能を持つ複数の信号合成部１２が同時に使用される構成であってもよい。この場合、信号切替部１３は、接続された無線装置３０の機能分割点に応じて複数の信号合成部１２へ信号を振り分けて出力する。
【００３７】
なお、中継装置１０の、信号分配部１１、複数の信号合成部１２、及び信号切替部１３能は、専用ハードウェアによって実装されてもよいし、汎用ハードウェア上にソフトウェアによって実装されてもよい。
【００３８】
［中継装置の動作］
以下、中継装置１０の動作の一例について説明する。
図２は、本発明の一実施形態に係る分散アンテナシステム１の中継装置１０の動作を示すフローチャートである。
【００３９】
信号切替部１３は、各無線装置３０から送信された上りリンク信号の信号データを受信する（ステップＳ００１）。信号切替部１３は、上りリンク信号を送信した無線装置３０を特定する。
【００４０】
信号切替部１３は、特定した無線装置３０の機能分割点が図４の（ｇ）の機能分割点である場合（ステップＳ００２・Ｙｅｓ）、第１信号合成部１２ａを使用するように切り替えを行う（ステップＳ００３）。信号切替部１３は、各無線装置３０から送信された上りリンク信号の信号データを第１信号合成部１２ａへ出力する。
第１信号合成部１２ａは、入力された複数の信号データを合成する。第１信号合成部１２ａは、合成した信号データを無線制御装置２０へ送信する（ステップＳ００４）。
【００４１】
信号切替部１３は、特定した無線装置３０の機能分割点が図４の（ｆ）の機能分割点である場合（ステップＳ００５・Ｙｅｓ）、第２信号合成部１２ｂを使用するように切り替えを行う（ステップＳ００６）。信号切替部１３は、各無線装置３０から送信された上りリンク信号の信号データを第２信号合成部１２ｂへ出力する。
第２信号合成部１２ｂは、入力された複数の信号データを合成する。第２信号合成部１２ｂは、合成した信号データを無線制御装置２０へ送信する（ステップＳ００７）。
【００４２】
信号切替部１３は、特定した無線装置３０の機能分割点が図４の（ｄ）又は（ｅ）の機能分割点である場合（ステップＳ００８・Ｙｅｓ）、第３信号合成部１２ｃを使用するように切り替えを行う（ステップＳ００９）。信号切替部１３は、各無線装置３０から送信された上りリンク信号の信号データを第３信号合成部１２ｃへ出力する。
第３信号合成部１２ｃは、入力された複数の信号データを合成する。第３信号合成部１２ｃは、合成した信号データを無線制御装置２０へ送信する（ステップＳ０１０）。
【００４３】
信号切替部１３は、特定した無線装置３０の機能分割点が図４の（ｃ）の機能分割点である場合（ステップＳ０１１・Ｙｅｓ）、第４信号合成部１２ｄを使用するように切り替えを行う（ステップＳ０１２）。信号切替部１３は、各無線装置３０から送信された上りリンク信号の信号データを第４信号合成部１２ｄへ出力する。
第４信号合成部１２ｄは、入力された複数の信号データを合成する。第４信号合成部１２ｄは、合成した信号データを無線制御装置２０へ送信する（ステップＳ０１３）。
【００４４】
信号切替部１３は、特定した無線装置３０の機能分割点が図４の（ｃ）〜（ｇ）のいずれの機能分割点でもない場合、すなわち、特定した無線装置３０の機能分割点が図４の（ａ）又は（ｂ）の機能分割点である場合（ステップＳ０１１・Ｎｏ）、第５信号合成部１２ｅを使用するように切り替えを行う（ステップＳ０１４）。信号切替部１３は、各無線装置３０から送信された上りリンク信号の信号データを第５信号合成部１２ｅへ出力する。
第５信号合成部１２ｅは、入力された複数の信号データを合成する。第５信号合成部１２ｅは、合成した信号データを無線制御装置２０へ送信する（ステップＳ０１５）。
以上で図２に示すフローチャートの処理が終了する。
【００４５】
以上説明したように、従来の分散アンテナシステムの中継装置５０では、ＣＰＲＩ信号又はＲＦ信号を分配／合成することしかできず、無線制御装置６０と無線装置７０との機能分割の再定義に伴う新たな機能分割点において、無線制御装置６０と無線装置７０との間で伝送される信号の分配／合成を行うことができない。また、ＣＰＲＩ信号を分配／合成する中継装置５０、あるいは、ＲＦ信号を分配／合成する中継装置５０といったように、機能分割点に応じて別々の装置を備える必要があるため、中継装置５０の運用に係る機器コスト、又は中継装置５０の入れ替えに係る作業負担が大きくなるという課題があった。
【００４６】
これに対し、上述した本発明の一実施形態に係る分散アンテナシステム１では、中継装置１０において、無線制御装置２０と無線装置３０との間で伝送される信号の分配／合成を行う動作モードを、信号切替部１３によって切り替えることができる。これにより、分散アンテナシステム１は、無線制御装置２０と無線装置３０との機能分割に応じた信号形式による信号データの分配／合成を１つの中継装置１０によって行うことができる。これにより、分散アンテナシステム１は、機能分割点に応じた別々の中継装置をそれぞれ用意する必要がないため、中継装置５０の運用に係る機器コスト、及び中継装置５０の入れ替えに係る作業負担を軽減させることができる。
【００４７】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【００４８】
上述した実施形態における中継装置１０の一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【符号の説明】
【００４９】
１…分散アンテナシステム、１０…中継装置、１１…信号分配部、１２…信号合成部、１３…信号切替部、２０…無線制御装置、３０…無線装置、５０…中継装置、５１…信号分配部、５２…信号合成部、６０…無線制御装置、７０…無線装置、
【図１】
2020017815.tif 000003
【図２】
2020017815.tif 000004
【図３】
2020017815.tif 000005
【図４】
2020017815.tif 000006